(57)【特許請求の範囲】
【請求項１】
基板上に、第１導電型の第1のクラッド層、活性層およびバンドギャップエネルギーが前記活性層より大きい第２導電型の第２のクラッド層を順次積層し、一方の面に複数の発光領域を配置した発光ダイオードアレイにおいて、第1導電型の不純物選択拡散領域を、前記第２のクラッド層の表面から前記第１のクラッド層に到達させて、前記発光領域を囲むように区画するための第1の領域及びこの第1の領域と平面的に離れ前記複数の発光領域に共通の第２の領域を形成し、前記第２の領域に接続した第1導電型の電極と前記発光領域に接続した第２導電型の電極を同一方向の面に配置したことを特徴とする発光ダイオードアレイ。
【請求項２】
基板上に、第1導電型の第1のクラッド層、活性層およびエネルギーバンドギャップが前記活性層より大きい第２導電型の第２のクラッド層を順次積層し、一方の面に複数の発光領域を配置した発光ダイオードアレイにおいて、前記基板と活性層の間に反射層を形成するとともに、第1導電型の不純物選択拡散領域を、前記第２のクラッド層の表面から前記第１のクラッド層に到達させて、前記発光領域を区画するための第1の領域及びこの第1の領域と平面的に離れ前記複数の発光領域に共通の第２の領域を形成し、前記第1の領域と前記反射層との間にキャリア移動領域を確保し、前記第２の領域に接続した第1導電型の電極と前記発光領域に接続した第２の導電型の電極を同一方向の面に配置したことを特徴とする発光ダイオードアレイ。
【請求項３】
前記活性層を多重量子井戸型としたことを特徴とする請求項１あるいは請求項２に記載の発光ダイオードアレイ。
【請求項４】
別々のグループに属する複数個の前記発光領域を１つの独立した半導体ブロックに配置し、この半導体ブロックを前記基板の長手方向に複数配置したことを特徴とする請求項１ないし請求項３に記載の発光ダイオードアレイ。
【請求項５】
前記半導体ブロック内の前記別々のグループに属する発光領域数を選択するための複数の共通配線と、前記半導体ブロックを選択するための複数の個別配線を備えたことを特徴とする請求項４に記載の発光ダイオードアレイ。
【請求項６】
前記複数の共通配線を多層配線としたことを特徴とする請求項５に記載の発光ダイオードアレイ。
【請求項７】
前記多層配線の主パターンを前記半導体ブロックを囲む溝を避けて配置したことを特徴とする請求項６に記載の発光ダイオードアレイ。
【請求項８】
前記複数の共通配線と前記複数の個別配線を多層配線としたことを特徴とする請求項５ないし請求項７に記載の発光ダイオードアレイ。
【請求項９】
前記複数の共通配線と前記複数の個別配線に接続したパッド電極を一列に配置したことを特徴とする請求項５ないし請求項８に記載の発光ダイオードアレイ。
【請求項１０】
前記ブロック内に位置する前記個別配線の一端は、前記ブロック内の発光領域の配列長さ範囲に亘る長さを有していることを特徴とする請求項４ないし請求項９記載の発光ダイオードアレイ。
【発明の詳細な説明】
【０００１】
【発明の属する技術分野】
本発明は、感光ドラムなどへの書き込み用光源として利用される発光ダイオードアレイ、特に単一の半導体基板上に複数の発光領域を形成したモノリシック型の発光ダイオードアレイに関する。
【０００２】
【従来の技術】
感光ドラムなどの書き込み用光源として利用されるモノリシック型の発光ダイオードアレイは、図１４に示すように、ｎ型ＧａＡｓ基板１００上にｎ型ＧａＡｓＰ層２００を設け、その表面部にｐ型不純物拡散領域３００を形成した構成であった。従来の発光ダイオードアレイは、発光領域にｐ型不純物拡散領域３００を用いているため、発生した光がこのｐ型不純物拡散領域３によって吸収される。また、発生した光は、ＧａＡｓ基板１００よっても吸収される。そのため、高輝度のものが得られず、高速印字に対応して感光ドラムを高速で回転させる際に、感光ドラムへの十分な書き込み光量を確保することが困難であった。
【０００３】
そこで、例えば特開平６−１５１９５３号公報に示されるように、ＧａＡｓＰよりも高い外部量子効率が得られるＧａＡｌＡｓを発光ダイオードアレイの材料に用いることが提案されている。しかしながら、ＧａＡｓ基板を用いると、発生した光の一部はこのＧａＡｓ基板よっても吸収されるので、上記と同様に高輝度化を達成することができなかった。
【０００４】
また、特開２０００−３１２０２７号公報に示されるように、高輝度化のために反射層を配置するとともに、発光領域を構成するｐｎ接合を活性層の中央部に設けるように不純物の選択拡散を行なう提案も行なわれているが、不純物の拡散処理が不正確であると拡散が活性層を突き抜けてしまうことが有り、この様な場合は所望の発光を行なうことができないという問題がある。
【０００５】
【発明が解決しようとする課題】
そこで本発明は、高輝度の発光ダイオードアレイを提供することを主な課題とする。また、製造しやすい発光ダイオードアレイを提供することを課題の１つとする。また、時分割駆動に適した高輝度の発光ダイオードアレイを提供することを課題の１つとする。また、発光ダイオードアレイの小型化を図ることを課題の１つとする。
【０００７】
【課題を解決するための手段】
本発明の発光ダイオードアレイは、請求項１に記載のように、基板上に、第１導電型の第1のクラッド層、活性層およびバンドギャップエネルギーが前記活性層より大きい第２導電型の第２のクラッド層を順次積層し、一方の面に複数の発光領域を配置した発光ダイオードアレイにおいて、第1導電型の不純物選択拡散領域を、前記第２のクラッド層の表面から前記第１のクラッド層に到達させて、前記発光領域を囲むように区画するための第1の領域及びこの第1の領域と平面的に離れ前記複数の発光領域に共通の第２の領域を形成し、前記第２の領域に接続した第1導電型の電極と前記発光領域に接続した第２導電型の電極を同一方向の面に配置したことを特徴とする。
【０００８】
本発明の発光ダイオードアレイは、請求項２に記載のように、基板上に、第1導電型の第1のクラッド層、活性層およびエネルギーバンドギャップが前記活性層より大きい第２導電型の第２のクラッド層を順次積層し、一方の面に複数の発光領域を配置した発光ダイオードアレイにおいて、前記基板と活性層の間に反射層を形成するとともに、第1導電型の不純物選択拡散領域を、前記第２のクラッド層の表面から前記第１のクラッド層に到達させて、前記発光領域を区画するための第1の領域及びこの第1の領域と平面的に離れ前記複数の発光領域に共通の第２の領域を形成し、前記第1の領域と前記反射層との間にキャリア移動領域を確保し、前記第２の領域に接続した第1導電型の電極と前記発光領域に接続した第２の導電型の電極を同一方向の面に配置したことを特徴とする。
【０００９】
本発明の発光ダイオードアレイは、請求項３に記載のように、前記活性層を多重量子井戸型としたことを特徴とする。
【００１０】
本発明の発光ダイオードアレイは、請求項４に記載のように、別々のグループに属する複数個の前記発光領域を１つの独立した半導体ブロックに配置し、この半導体ブロックを前記基板の長手方向に複数配置したことを特徴とする。
【００１１】
本発明の発光ダイオードアレイは、請求項５に記載のように、前記半導体ブロック内の前記別々のグループに属する発光領域数を選択するための複数の共通配線と、前記半導体ブロックを選択するための複数の個別配線を備えたことを特徴とする。
【００１２】
本発明の発光ダイオードアレイは、請求項６に記載のように、前記複数の共通配線を多層配線としたことを特徴とする。
【００１３】
本発明の発光ダイオードアレイは、請求項７に記載のように、前記多層配線の主パターンを前記半導体ブロックを囲む溝を避けて配置したことを特徴とする。
【００１４】
本発明の発光ダイオードアレイは、請求項８に記載のように、前記複数の共通配線と前記複数の個別配線を多層配線としたことを特徴とする。
【００１５】
本発明の発光ダイオードアレイは、請求項９に記載のように、前記複数の共通配線と前記複数の個別配線に接続したパッド電極を一列に配置したことを特徴とする。
【００１６】
本発明の発光ダイオードアレイは、請求項１０に記載のように、前記ブロック内に位置する前記個別配線の一端は、前記ブロック内の発光領域の配列長さ範囲に亘る長さを有していることを特徴とする。
【００１７】
【発明の実施の形態】
以下本発明の実施形態について図面を参照して説明する。図１から図3は本発明の発光ダイオードアレイの第1の実施形態を示し、図1は要部の平面図、図2は図1のＡ１−Ａ２断面図、図3は図1のＢ１−Ｂ２断面図である。
【００１８】
発光ダイオードアレイ１は、絶縁性あるいは半絶縁性の基板２を有している。半絶縁性基板の場合は、ｎ型の半導体基板を用いるのが好ましい。この基板２上に、反射層３、第1クラッド層４、活性層５、第2クラッド層を順次エピタキシャル成長して積層させ、この積層基板の一方の面の上に絶縁膜７を介してｐ型（第１導電型）電極８とｎ型（第２導電型）電極９を配置している。基板２は、不純物を添加した半導体基板を用いることもできるが、この例では、不純物を添加していない（アンドープの）厚さが３００〜６００μｍのＧａＡｓ基板を用いている。
【００１９】
反射層３は、例えばブラッグ反射層によって構成され、この例では波長が７４０ｎｍの光を９８％前後反射することができるように、厚さが６１ｎｍのＡｌＡｓ層と厚さが５４ｎｍのＡｌ0.4Ｇａ0.6Ａｓ層からなる組を２０組積層して構成している。基板２とこの反射層３の間には、必要に応じてバッファ層を設けることができ、例えばこの実施形態では、厚さが０．１μｍでアンドープのＧａＡｓ層をバッファ層として用いることができる。
【００２０】
第１クラッド層４は、ヘテロ接合構造を形成するために活性層５よりもバンドギャップエネルギーが大きいｐ型（第１導電型）の半導体層を用いることができ、この例では、厚さが１μｍ、キャリア濃度（ｃｍ-3）が１０17オーダーのＡｌ0.55Ｇａ0.45Ａｓ層を用いている。
【００２１】
活性層５は、一層の量子井戸構造（ＳＱＷ）によって構成することもできるが、この例では、発光波長の設定が容易であるとともに、高い外部量子効率が得られる多重量子井戸構造（ＭＱＷ）を用いている。このＭＱＷ活性層は、アンドープのＡｌ0.15Ｇａ0.85Ａｓからなる井戸層をアンドープのＡｌ0.3Ｇａ0.7Ａｓからなる障壁層が挟む構造を繰り返して積層した構造で、この例では、中心波長が７４０ｎｍの発光波長が得られるように、厚さが８ｎｍの井戸層を４層、厚さが８ｎｍの障壁層を５層設けた構造としている。ＭＱＷ活性層は、その積層数を変更することができ、上記の井戸層を５０層、障壁層を５１層設けた構造としても良い。
【００２２】
第２クラッド層６は、ヘテロ接合構造を形成するために活性層５よりもバンドギャップエネルギーが大きいｎ型（第２導電型）の半導体層を用いることができ、この例では、厚さが１μｍ、キャリア濃度（ｃｍ-3）が１０17オーダーのＡｌ0.6Ｇａ0.4Ａｓ層を用いている。第２クラッド層６のバンドギャップエネルギーは、第１クラッド層４のそれと相違させているが、同じバンドギャップエネルギーに設定することもできる。
【００２３】
活性層５と第１クラッド層４の間、もしくは活性層５と第２クラッド層６の間の一方もしくは両方には、それらのバンドギャップエネルギーの中間のバンドギャップエネルギーを持つガイド層を必要に応じて配置することができる。このガイド層としては、例えば厚さが０．１μｍのアンドープのＡｌ0.5Ｇａ0.5Ａｓ層を用いることができる。ここで、第１、第２のクラッド層４，６やそれに隣接して配置されるガイド層のＡｌ混晶比が活性層５のＡｌ混晶比より高く設定されたダブルヘテロ構造を備えているため、活性層５に注入されるキャリアを有効にその中に閉じ込めることができ、キャリアの再結合効率を高めることができるとともに、活性層５で発生した光を外部に有効に放出することができる。
【００２４】
第２クラッド層６の上には、その上に配置されるｎ電極９とのコンタクト性を高めるためのコンタクト層を形成することができる。このコンタクト層は、厚さが０．２μｍ、キャリア濃度（ｃｍ-3）が１０18オーダーのｎ型ＧａＡｓ層を用いることができる。
【００２５】
上記の各エピタキシャル成長層は、薄膜作成が容易な分子線エピタキシー法（ＭＢＥ）や有機金属化学気相成長法（ＭＯＣＶＤ）等を用いることが望ましいが、薄膜作成を必要としない場合には。液層エピタキシー法（ＬＰＥ）を用いることもできる。
【００２６】
発光ダイオードアレイ１には、一方の面に複数の発光領域１０が整列して配置されている。この例では平面四角形状の発光領域１０が一列に配置されているが、千鳥状やマトリックス状に配置することができる。この発光領域１０は、図1に破線ハッチングで示すように、第１のクラッド層４と同じ導電型であるｐ型（第1導電型）の不純物を発光領域１０の周囲を囲むように選択的に拡散させて、不純物選択拡散領域１１を形成することによって構成される。この不純物選択拡散領域１１は、図２、図３に示すように、第２のクラッド層６の表面から活性層５を貫通して第１のクラッド層４に到達する深さに形成している。不純物選択拡散領域１１は、発光領域１０を区画するための領域を形成するための第１の領域１１Ａと、分離領域１２を介在してこの第1の領域１１Ａと平面的に離れて位置する第2の領域１１Ｂを有している。第１の領域１１Ａは、高抵抗の反射層３を通る電流通路が形成されるのを防ぐように、反射層３の手前で拡散停止するような設定のもとに形成している。その結果、第１の領域１１Ａと反射層３の間にキャリア移動用の領域１３が確保されている。第２の領域１１Ｂは、第１のクラッド層４をｐ型電極８に接続するためのｐ型領域を形成するもので、前記第１の領域１１Ａと別に形成することもできるが、製造工程を簡素化するために領域１１Ａと同時に形成される。そして第２の領域１１Ｂは、発光領域１０の配列長さ範囲に亘って帯状に配置形成している。
【００２７】
絶縁膜７は、窒化シリコンや酸化シリコンなどの絶縁性の膜で形成され、ｐ電極８が第２の領域１１Ｂにコンタクトするためのコンタクトホールと、ｎ電極９が発光領域１０にコンタクトするためのコンタクトホールを有している。
【００２８】
ｐ電極８やｎ電極９は金を主成分とし、それにチタンやその他の金属を含有させた電極で構成しているが、それ以外の金属電極で構成することもできる。そして、ｐ電極８は、第２領域１１Ｂと同様に発光領域１０の配列範囲に亘って帯状に配置形成しているが、それ以外の形状とすることもできる。ｎ電極９は、発光領域１０に幅が狭い一端９Ａを延長させ、ワイヤボンド等の配線接続を行なうに適した面積を有する幅が広い他端９Ｂを発光領域１０を挟んでｐ電極８と反対側に配置している。パッド電極として機能するこの幅が広い他端９Ｂは、発光領域１０を基準にｐ電極８と同じ側に配置することもできる。
【００２９】
発光領域１０は、活性層５を通過する部分以外に、第２クラッド層６が第１領域１１Ａに接する部分にｐｎ接合が形成されるが、この部分の電位障壁の方が活性層５における障壁に比べて高いので、電流は活性層５を優先的に通過するように流れる。また、ｐ電極をｎ電極と反対の面に設けた場合は電流が高抵抗の反射層３を通過することになるが、ｐ電極８をｎ電極９と同じ側の面に配置し、第１の領域１１Ａと反射層３の間にキャリア移動用の領域１３を確保しているので、反射層３を通過しない電流通路を確保することができ、この発光ダイオードの駆動電圧を低く抑えることができる。
【００３０】
そして、活性層５に注入されたキャリアの再結合によって発生した光は、第１、第２のクラッド層４，６が光学的に透明なので、第２のクラッド層６を介して上部の窓から外部に放出されるととともに、第１のクラッド層４に進んだ光も反射層３によって有効に反射され上部の窓から外部に放出される。
【００３１】
次に図４〜６に示す第２の実施形態について説明する。上記の実施形態は、不純物選択拡散領域１１の内、発光領域１０を個々に区画するための第１の領域１１Ａを、複数の発光領域１０を含むように連続した形態としていたが、この実施形態は、発光領域１０を個々に区画するための第１の領域１１Ａを発光領域１０毎に個々に独立した形態とした点に特徴を有している。それ以外の形態は先の実施形態と同じにすることができる。第１の領域１１Ａを発光領域１０毎に個々に分離することにより、第２のクラッド層６とそれに隣接する第１の領域１１Ａとの間に形成されるｐｎ接合の電位障壁が低くて第１の領域１１Ａを通じて電流が漏れる可能性が高い場合においても、発光領域１０の間に複数の電位障壁が形成されるので、電流の漏れを有効に防止することができる。
【００３２】
上記各実施形態は、半導体材料としてＡｌＧａＡｓを用いる場合を例示したが、本発明はこれ以外の半導体を材料とすることもでき、その他のＩＩＩ―Ｖ族系化合物半導体、例えば、ＡｌＧａＩｎＰ、ＧａＩｎＰ，ＧａＩｎＡｓＰのような三元系混晶や四元系混晶の場合、あるいは、ＩＩ―Ｖ族系化合物半導体にも本発明を適用することができる。
【００３３】
また、不純物選択拡散領域１１の形成は、亜鉛（Ｚｎ）を不純物として用いて行なうのが一般的であるが、これ以外の不純物、例えばマグネシウム（Ｍｇ），ベリリウム（Ｂｅ）やその他の不純物を利用することができる。特に、この不純物拡散は、図１４に示す従来例のように、発光層としてのｐｎ接合の形成に用いるのではなく、発光領域１０を区画するために利用されるので、拡散深さの制御が多少悪くても発光領域１０の特性に与える影響は少なくて済む。特に、活性層５として多重量子井戸構造を採用する場合のように、活性層に拡散した不純物が光出力の低下原因になる場合は、それを抑制することができる点で上記のように発光領域の周囲に不純物拡散を拡散する方式を採用することが好ましい。
【００３４】
また、上記実施形態の発光ダイオードアレイ１は、複数の発光領域１０に共通の電極として１つの電極８のみを設けた１ブロック構造の例を示したが．複数の発光領域１０に共通の電極８を複数設けた複数ブロック構造を採用することもできる。複数ブロック化のためには、例えば、図7、図8に第3の実施形態として示すように、発光ダイオードアレイ１の長手方向と直交する方向に反射層３あるいは基板２に達する分離用の溝１４を形成することによって、発光ダイオードアレイ１の長手方向に複数の独立した半導体ブロック１５を配置する構造を採用することができる。各ブロックには、図１や図４に示す場合と同様に、複数の発光領域１０と、それに接続した電極８，９を配置することができる。分離用の溝を形成する以外にもその他の構造、例えば不純物拡散によって形成した分離構造などを採用して１つのアレイに複数の独立した半導体ブロックを配置することもできる。
【００３５】
このような複数ブロック構造は、時分割駆動によってアレイの点灯を制御する光プリントヘッド用の発光ダイオードアレイに好適である。
【００３６】
次に、複数ブロック構造を備える別の実施形態（第4の実施形態）を、図９〜図１３を参照して説明する。この実施形態の発光ダイオードアレイ１は、先の実施形態におけるアレイを製造する際に用いる積層基板（半導体ウエハ）と同じ物を利用して製造している。したがって、先の実施形態で示した構成と同一の部分には、同一の符号を付してその説明を省略する。
【００３７】
発光ダイオードアレイ１は、絶縁性あるいは半絶縁性の基板２上に、反射層３、第1クラッド層４、活性層５、第2クラッド層６、必要に応じてコンタクト層等を順次エピタキシャル成長して積層させたものを積層基板（半導体ウエハ）として利用し、それに種々の加工が施される。
【００３８】
以下、発光ダイオードアレイ１の製造方法を交えてその構造を説明する。まず、  積層基板に選択的に不純物を拡散する処理が行なわれる。これによって、発光領域１０、不純物選択拡散領域１１が積層基板に形成される。発光領域１０は、アレイ1の長手方向に等ピッチで配置される。ここで、不純物拡散は、発光領域１０の活性層５を避けて行われる。
【００３９】
次に、複数の半導体ブロック１５を形成するためのエッチング処理が行われる。このエッチング処理は、半導体ブロック１５を囲む溝１６が基板２に達するまで行われる。この処理によって、半導体ブロック１５は、他の半導体ブロックと電気的に独立した状態を維持することができる。この独立した１つの半導体ブロック１５には、別々のグループに属する複数個、この例では第１のグループと第２のグループに属する２個の前記発光領域１０が配置される。そして半導体ブロック１５は、前記基板２の長手方向に複数配置される。半導体ブロック１５の列は、発光ダイオードアレイ１の一方の側に偏って配列されている。発光ダイオードアレイ１の他方の側には、半導体ブロック１５の高さと同等の高さ位置にパッド電極１７が配列される。
【００４０】
半導体層の選択的エッチング処理の後に、積層基板（半導体ウエハ）を覆うように絶縁膜７と同様の絶縁膜７ａが形成され、第１グループ選択用の第１の共通配線１８を接続するためのコンタクトホールが選択的に形成される。次に、第１グループ選択用の第１の共通配線１８が選択的に形成される。
【００４１】
同様にして、絶縁膜７と同様の絶縁膜７ｂが形成され、第２グループ選択用の第２の共通配線１９を接続するためのコンタクトホールが選択的に形成される。このコンタクトホールは、絶縁膜７ａ，７ｂを貫通するように形成される。次に、第２グループ選択用の第２の共通配線１９が選択的に形成される。
【００４２】
各共通配線１８，１９は、アレイ１の長さ方向にそって延びる幅広の主パターン１８ａ，１９ａに、複数の接続用の副パターン１８ｂ，１８ｃ，１９ｂ，１９ｃが枝別れした状態で形成されている。多層配線の主パターン１８ａ，１９ａは、半導体ブロック１５を囲む溝１６を避けて、積層基板の平坦面に配置されているので、断線の発生を避けることができる。発光領域接続用の副パターン１８ｂ，１９ｂとパッド電極接続用の副パターン１８ｃ，１９ｃは反対向きに延びている。パッド電極接続用の副パターン１８ｃ，１９ｃは、溝１６を垂直に横切るように延びている。
【００４３】
各共通配線１８，１９は、その主、副パターンが絶縁膜７ｂを介して積層された多層配線の形態で設けられている。主パターン１８ａ，１９ａは、平面的に見て半導体ブロック１５の列とバッド電極１７の列の間に位置している。
【００４４】
これらを覆うように、絶縁膜７と同様の絶縁膜７ｃが形成される。絶縁膜７ａ，７ｂ，７ｃには、半導体ブロック１５の不純物選択拡散領域１１の内の第２の領域１１Ｂに接続するためのコンタクトホールと、共通配線のパッド電極接続用の副パターン１８ｃ，１９ｃに接続するためのコンタクトホールが選択的に形成される。
【００４５】
次にｐ電極８やパッド電極１７が選択的に形成される。このｐ電極は、前記複数の半導体ブロック１５を個別に選択するための個別配線２０として用いられる。個別配線２０の一端は、半導体ブロック１５の発光領域１０の間隔部分を通ってダイオードアレイ１の一方の側に位置する。複数の発光領域１０に均一な電流が流れるようにするために、個別配線２０の一端はＴ字形状をしている。このＴ字部分２１は、１つのブロック１５内に配置された複数の発光領域１０の配列方向に亘る長さ、すなわち、ブロック１５の１つの辺と同等の長さを有している。
【００４６】
個別配線２０は、溝１６を垂直に横切った後、他端がパッド電極１７ａ方向に傾斜角度をもって延びている。この傾斜角度は、アレイ１の中央と端とでは相違している。
【００４７】
パッド電極１７は、ｐ電極８（個別配線２０）を形成した後に別個に形成することもできるが、この例では、ｐ電極８と同時に形成している。個別配線２０に接続されたパッド電極１７ａの両側に共通配線用のパッド電極１７ｂ１，ｂ２を配置しているが、片方の側のみに配置しても良い。パッド電極１７はアレイ１の長手方向に沿って一列に整列している。半導体ブロック１５とその選択用のパッド電極１７ａの個数は同じであるが、共通配線用のパッド電極１７ｂ１，ｂ２が余分に存在するので、パッド電極１７の配列ピッチは、半導体ブロック１５の配列ピッチよりも若干狭くなっている。
【００４８】
上記構成において、パッド電極１７ａに複数のブロックの希望のものを選択するための信号が選択的に与えられる。パッド電極１７ｂ１，ｂ２に複数のグループ、この例では2つのグループの1つを選択するための信号が選択的に与えられる。これらの信号は、パッド電極に例えばワイヤボンド配線を行なうことによって与えられる。所定のパッド電極１７ａに選択信号が与えられた状態で、第１グループ選択用のパッド電極１７ｂ１に選択信号が与えられると、半導体ブロックの１つの発光領域１０、この例では、図１０における右側の発光領域１０に電流が供給されてその領域が点灯状態となる。一方、パッド電極１７ｂ１に代わって、第２グループ選択用のパッド電極１７ｂ２に選択信号が与えられると、半導体ブロックの１つの発光領域１０、この例では、図１０における左側の発光領域１０に電流が供給されてその領域が点灯状態となる。
【００４９】
上記第3、第4の実施形態において、半導体ブロック構造とその配線構造に注目する場合は、そのブロック構造に影響を与えない範囲で前記積層基板等の構造を多少変更しても差し支えない。例えば、反射層３を省略することもできる。また、半導体ブロック１５内の発光領域１０の数を２以上に増加させることもできる。
【００５０】
【発明の効果】
本発明によれば、ヘテロ構造、反射構造、反射層を迂回する電極配置等の採用によって高輝度の発光ダイオードアレイを提供することができる。
【００５１】
また、不純物の選択的拡散を発光領域を区画するために発光領域の周囲に行なっているので、拡散によって発光領域を形成する場合に比べて、拡散制御が容易になり、製造しやすい発光ダイオードアレイを提供することができる。
【００５２】
また、発光領域を区画するための拡散と同時に第１クラッド層と電極との接続用の拡散を行なうことにより、製造工程を簡略化することができる。
【００５３】
また、不純物選択拡散領域の発光領域を区画するための領域を各々独立させることにより、拡散層を通じた電流の漏れを防止することができる。
【００５４】
また、別々のグループに属する複数個の前記発光領域を１つの独立した半導体ブロックに配置し、この半導体ブロックを前記基板の長手方向に複数配置したことにより、時分割駆動に適した構造とすることができる。
【００５５】
また、半導体ブロック内の別々のグループに属する発光領域を選択するための複数の共通配線と、半導体ブロックを選択するための複数の個別配線を備えたことにより、配線数の削減を行なってアレイサイズを小さくすることができる。
【００５６】
また、複数の共通配線を多層配線としたことにより、アレイサイズを小さくすることができる。
【００５７】
また、複数の共通配線と前記複数の個別配線を多層配線としたことにより、アレイサイズを小さくすることができる。
【００５８】
また、複数の共通配線と前記複数の個別配線に接続したパッド電極を一列に配置したことにより、ワイヤボンドなどの配線作業性を高めることができる。
【００５９】
また、ブロック内に位置する個別配線の一端は、前記ブロック内の発光領域の配列長さ範囲に亘る長さを有していることにより、電流の流れをを均一化することができる。
【図面の簡単な説明】
【図１】本発明の実施形態の要部平面図である。
【図２】図１のＡ１−Ａ２断面図である。
【図３】図１のＢ１−Ｂ２断面図である。
【図４】本発明の他の実施形態の要部平面図である。
【図５】図４のＣ１−Ｃ２断面図である。
【図６】図４のＤ１−Ｄ２断面図である。
【図７】本発明の他の実施形態の要部平面図である。
【図８】図７のＥ１−Ｅ２断面図である。
【図９】本発明の他の実施形態の要部平面図である。
【図１０】図９の要部拡大平面図である。
【図１１】図１０のＦ１−Ｆ２断面図である。
【図１２】図１０のＧ１−Ｇ２断面図である。
【図１３】図１０のＨ１−Ｈ２断面図である。
【図１４】従来例を示す要部断面図である。
【符号の説明】
１  発光ダイオードアレイ
３  反射層
４  第１クラッド層
５  活性層
６  第２クラッド層
８  ｐ型電極
９  ｎ型電極
１０  発光領域
１１  不純物選択拡散領域
１１Ａ  第１領域
１１Ｂ  第２領域
【図１】
0004128015.tif 000002
【図２】
0004128015.tif 000003
【図３】
0004128015.tif 000004
【図４】
0004128015.tif 000005
【図５】
0004128015.tif 000006
【図６】
0004128015.tif 000007
【図７】
0004128015.tif 000008
【図８】
0004128015.tif 000009
【図９】
0004128015.tif 000010
【図１０】
0004128015.tif 000011
【図１１】
0004128015.tif 000012
【図１２】
0004128015.tif 000013
【図１３】
0004128015.tif 000014
【図１４】
0004128015.tif 000015